(57)【要約】【課題】  部品の取り付け位置と部品の名称及び部品の型式を容易に確認でき、部品交換に要する時間を短縮できるようにする。【解決手段】  工作機械が、複数の部品を備えた工作機械本体と、工作機械本体に接続されたＮＣ装置を有する。ＮＣ装置が、工作機械本体を構成する複数の部品に関する部品情報を表示するための表示部と、部品情報を記憶するための記憶部と、表示部及び記憶部を制御するための制御部とを有する。部品情報が、部品の番号、部品の名称、部品の型式、及び部品の取り付け位置を有する。制御部が、部品の番号及び部品の取り付け位置と、部品の番号、部品の名称、及び部品の型式とを、選択的に表示部に表示させる。【選択図】  図４
0003119701.tif 000002
【実用新案登録請求の範囲】
【請求項１】
（Ａ）  複数の部品（２２、５２）を有する工作機械本体（１２、４２）と、工作機械本体（１２、４２）に接続されたＮＣ装置（１４、４４）を有する工作機械において、
（Ｂ）  ＮＣ装置（１４、４４）が、
工作機械本体（１２、４２）を構成する複数の部品（２２、５２）に関する部品情報（２４、５４）を表示するための表示部（１６、４６）と、
部品情報（２４、５４）を記憶するための記憶部（１８、４８）と、
表示部（１６、４６）及び記憶部（１８、４８）を制御するための制御部（２０、５０）とを有し、
（Ｃ）  部品情報（２４、５４）が、部品の番号（２６、５６）、部品の名称（２８、５８）、部品の型式（３０、６０）、及び部品の取り付け位置（３２、６２）を含んでおり、
（Ｄ）  制御部（２０、５０）が、部品の番号（２６、５６）及び部品の取り付け位置（３２、５２）と、部品の番号（２６、５６）、部品の名称（２８、５８）、及び部品の型式（３０、６０）とを、選択的に表示部（１６、４６）に表示させる
ことを特徴とする工作機械。
【請求項２】
工作機械本体（４２）に接続されていて工作機械本体（４２）の障害を検知するための検知器（６４）を有し、
制御部（５０）は、検知器（６４）が検知した工作機械本体（４２）の障害に基づいて表示部（４６）及び記憶部（４８）を制御し、
工作機械本体（４２）に障害が生じた場合に、制御部（５０）が、記憶部（４８）からその障害に関する部品（５２）の部品情報（５４）を読み出して表示部（４６）に表示させることを特徴とする請求項１に記載の工作機械。
【考案の詳細な説明】
【技術分野】
【０００１】
本考案は、複数の部品を有する工作機械本体と、工作機械本体に接続されたＮＣ装置を有する工作機械に関する。
【背景技術】
【０００２】
従来、工作機械に障害が発生し、その部品の交換が必要となった場合、工作機械の説明書に記載されたパーツリスト（部品の一覧表）を見て、交換すべき部品の確認を行っていた。
【考案の開示】
【考案が解決しようとする課題】
【０００３】
しかしながら、工作機械によっては、詳細なパーツリストが付属していないことがある。この場合、機械を使用する現場担当者は、迅速に部品交換をすることが出来ず、機械の停止時間を長引かせていた。
【０００４】
本考案は、部品の取り付け位置と部品の名称及び部品の型式を作業者が容易に確認でき、部品交換に要する時間を短縮することができる工作機械を提供することを目的としている。
【課題を解決するための手段】
【０００５】
本考案の解決手段を例示すると、以下のとおりである。
【０００６】
（１）  （Ａ）  複数の部品（２２、５２）を有する工作機械本体（１２、４２）と、工作機械本体（１２、４２）に接続されたＮＣ装置（１４、４４）を有する工作機械において、
（Ｂ）  ＮＣ装置（１４、４４）が、
工作機械本体（１２、４２）を構成する複数の部品（２２、５２）に関する部品情報（２４、５４）を表示するための表示部（１６、４６）と、
部品情報（２４、５４）を記憶するための記憶部（１８、４８）と、
表示部（１６、４６）及び記憶部（１８、４８）を制御するための制御部（２０、５０）とを有し、
（Ｃ）  部品情報（２４、５４）が、部品の番号（２６、５６）、部品の名称（２８、５８）、部品の型式（３０、６０）、及び部品の取り付け位置（３２、６２）を含んでおり、
（Ｄ）  制御部（２０、５０）が、部品の番号（２６、５６）及び部品の取り付け位置（３２、５２）と、部品の番号（２６、５６）、部品の名称（２８、５８）、及び部品の型式（３０、６０）とを、選択的に表示部（１６、４６）に表示させる
ことを特徴とする工作機械。
【０００７】
（２）  工作機械本体（４２）に接続されていて工作機械本体（４２）の障害を検知するための検知器（６４）を有し、
制御部（５０）は、検知器（６４）が検知した工作機械本体（４２）の障害に基づいて表示部（４６）及び記憶部（４８）を制御し、
工作機械本体（４２）に障害が生じた場合に、制御部（５０）が、記憶部（４８）からその障害に関する部品（５２）の部品情報（５４）を読み出して表示部（４６）に表示させることを特徴とする先述の工作機械。
【考案の効果】
【０００８】
本考案の工作機械によれば、部品の番号及び部品の取り付け位置を確認し、確認した部品の番号に対応する部品の名称及び部品の型式を確認することにより、交換すべき部品の取り付け位置、部品の名称、及び部品の型式を容易に確認でき、工作機械の停止時間を短縮することができる。すなわち、その場で現場の作業者が不良部品を確認でき、部品の手配及び交換が可能となり、機械の停止時間を短くすることが出来る。
【０００９】
とくに、請求項２に記載の考案によれば、工作機械本体に障害が生じた場合に、担当者がその障害に関連する部品の部品情報を一時に確認できるため、工作機械の停止時間をより短縮することができる。
【考案を実施するための最良の形態】
【００１０】
本考案の最良の形態による工作機械は、複数の部品を有する工作機械本体と、工作機械本体に接続されたＮＣ装置を有する。ＮＣ装置が、工作機械本体を構成する複数の部品に関する部品情報を表示するための表示部と、部品情報を記憶するための記憶部と、表示部及び記憶部を制御するための制御部とを有する。部品情報が、部品の番号、部品の名称、部品の型式、及び部品の取り付け位置を含んでいる。制御部が、部品の番号及び部品の取り付け位置と、部品の番号、部品の名称、及び部品の型式とを、選択的に表示部に表示させるようになっている。
【００１１】
本考案において、工作機械本体を構成する複数の部品（パーツ）は、例えば、減速機ブラケット、サイクロ減速機、サーボモータ、六角穴付ボルト、カラー、スプロケット、六角ナット、ローラチェーン、位置決めブロック、平行キー、六角穴付止メネジ、座金、メネジ付テーパーピン等とすることができる。
【００１２】
本考案において、部品情報は、部品の番号、部品の名称、部品の型式、及び部品の取り付け位置を含む。部品情報は、好ましくは部品の所在や部品の個数等を更に含むことができる。
【００１３】
本考案において、部品の番号には、他の部品と区別するための任意の数値を用いることができる。後述する部品の取り付け位置を図面で表した場合には、部品の番号を図番とすることができる。
【００１４】
本考案において、部品の名称には、現場担当者が容易に理解できるその部品の普通名称を用いることができる。部品の名称が他の部品の名称と重複する場合には、部品の位置や連続番号を普通名称と組み合わせて用いることができる。
【００１５】
本考案において、部品の型式には、その部品の型番や寸法を含めることができる。
【００１６】
本考案において、部品の取り付け位置には、その部品が取り付けられている領域の分解斜視図や分解側面図を用いることができる。その他、本考案は部品の取り付け位置を文字や文字と図面の組み合わせで示す構成を含む。
【００１７】
好ましくは、工作機械本体に接続されていて工作機械本体の障害を検知するための検知器を有し、制御部は、検知器が検知した工作機械本体の障害に基づいて表示部及び記憶部を制御し、工作機械本体に障害が生じた場合に、制御部が、記憶部からその障害に関する部品の部品情報を読み出して表示部に表示させる。
【００１８】
本考案において、検知器は、好ましくは工作機械本体を構成する種々のアセンブリーに接続される。この場合、複数の部品がアセンブリーを構成する。アセンブリーは、例えば本体、主軸、Ｘ軸送り、Ｙ軸送り、Ｚ軸送り、Ｘ軸リミットスイッチ、Ｙ軸リミットスイッチ、Ｚ軸リミットスイッチ、Ｚ軸ケーブルベア、Ｘ軸スライドカバー、Ｘ軸モーターカバー、全体カバー、チップコンベア、切削油タンク、ＡＴＣ、操作盤、制御盤等とすることができる。
【００１９】
本考案において、工作機械本体の障害は、典型的には部品の磨耗、変形、破損等によりその部品を交換する必要が生じた場合を意味するが、この場合に限定されず、工作機械本体の作動のさまたげとなる種々の事象を含む。
【００２０】
こうして、本考案による工作機械は、工作機械を構成する部品の取り付け位置、型式、名称を、工作機械に付属するＮＣ装置の画面にすべて表示する機能を有するようになっている。
【実施例１】
【００２１】
以下、図面を参照して本考案の実施例１を説明する。
【００２２】
図１は、本考案による工作機械の一例を示す概念図である。
【００２３】
工作機械１０は、複数の部品２２を有する工作機械本体１２と、工作機械本体１２に接続されたＮＣ装置１４を有する。
【００２４】
ＮＣ装置１４は、表示部１６と、記憶部１８と、制御部２０と、操作盤２１を有する。
【００２５】
表示部１６は、工作機械本体１２を構成する複数の部品２２に関する部品情報２４を表示するためのものである。
【００２６】
記憶部１８は、従来公知の記憶用の手段で構成されていて、部品情報２４を記憶するものである。
【００２７】
工作機械本体１２は、複数の部品２２から構成されている。複数の部品２２は、部品２２ａ、２２ｂ、２２ｃ、、、、からなる。
【００２８】
制御部２０は、表示部１６及び記憶部１８を制御する。制御部２０は、操作盤２１からの操作に基づいて、表示部１６及び記憶部１８を制御する。
【００２９】
部品情報２４は、部品の番号２６、部品の名称２８、部品の型式３０、及び部品の取り付け位置３２を含む。
【００３０】
制御部２０は、部品の番号２６及び部品の取り付け位置３２と、部品の番号２６、部品の名称２８、及び部品の型式３０とを、選択的に表示部１６に表示させる。
【００３１】
図２〜図７は、表示部に表示される表示内容の一例を示す。
【００３２】
図２は、パーツリスト（部品の一覧）の選択画面を示す。
【００３３】
表示部の表示内容１６ａの中央領域にあるパーツリストの項目１７ａを操作盤２１に設けられたソフトキー（図示省略）により選択すると、図３に示される表示内容１６ｂが表示される。
【００３４】
図３は、パーツリスト（部品の一覧）の一覧を示す。
【００３５】
パーツリストは、工作機械本体１２を構成するアセンブリー（機器）毎に分類されている。図示省略したページ上下キーにより、表示内容１６ｂの下段にあるメニューが切り替わるようになっている。例えば、アセンブリーとして本体関係の項目１７ｂをソフトキーにより選択すると、図４に示される表示内容１６ｃが表示される。
【００３６】
図４は、本体関係付近の部品の番号及び部品の取り付け位置を示す。部品の番号２６として、丸で囲んだ数値１３、２９、及び９０が示されており、部品の取り付け位置３２として、本体関係付近の概略側断面図が示されている。表示内容１６ｃを上方にスクロールさせることにより、図５に示される表示内容１６ｄが表示されるようになっている。
【００３７】
図５は、本体関係付近下側の概略側断面図を示す。図５においては、部品の番号２６として、丸で囲んだ数値８０等が示されている。
【００３８】
図４又は図５において、リスト表示の項目１７ｃをソフトキーにより選択すると、図６に示される表示内容１６ｅが表示される。
【００３９】
図６は、本体関係のパーツリスト（部品の一覧）の内容を示す。部品の番号２６がパーツ番号（図番）としてＮＯ．１〜２０まで示されている。部品の番号２６の右側には、対応する部品の名称２８及び部品の型式３０が、それぞれＮＡＭＥ及びＭＯＤＥＬの列に並んで示されている。
【００４０】
図６において、表示内容１６ｅを上方にスクロールさせると、図７に示される表示内容１６ｆが表示される。
【００４１】
図７は、本体関係のパーツリスト（部品の一覧）の内容を示す。図７には、ＮＯ．２０以降の表示内容が表示されている。図６又は図７において、一覧へ戻る項目１７ｄを選択することにより、図３に示すアセンブリーの選択画面へ戻るようになっている。
【００４２】
以下、一例として本体関係の部品の部品情報を表示部に表示させる手順を説明する。
【００４３】
担当者は、図２においてパーツリスト１７ａの項目をソフトキーで選択する。図３において本体関係の項目１７ｂをソフトキーで選択する。図４又は図５に示された表示内容を参照して、部品の番号２６及び部品の取り付け位置３２を確認する。リスト表示１７ｃの項目をソフトキーで選択する。図６又は図７に示された表示内容を参照して、部品の番号２６に対応する部品の名称２８及び部品の型式３０を確認する。
【００４４】
こうして、部品の番号２６をもとにして、部品の取り付け位置３２、部品の名称２８、及び部品の型式３０を容易に確認できるようになっている。
【実施例２】
【００４５】
以下、図面を参照して本考案の実施例２を説明する。
【００４６】
図８は、本考案による工作機械の別の例を示す概念図である。
【００４７】
工作機械４０は、複数の部品５２を有する工作機械本体４２と、工作機械本体４２に接続されたＮＣ装置４４を有する。
【００４８】
ＮＣ装置４４は、表示部４６と、記憶部４８と、制御部５０と、操作盤５１を有する。
【００４９】
表示部４６は、工作機械本体４２を構成する複数の部品５２に関する部品情報５４を表示するためのものである。
【００５０】
記憶部４８は、従来公知の記憶用の手段で構成されていて、部品情報５４を記憶するものである。
【００５１】
工作機械本体４２は、複数のアセンブリー５６から構成されている。複数のアセンブリー５６は、アセンブリー５６ａ、５６ｂ、５６ｃ、、、、からなる。この場合、アセンブリー５６ａ、５６ｂ、５６ｃ、、、、の各々が、複数の部品５２からなる。
【００５２】
工作機械４０は、更に検知器６４を有する。検知器６４は、アセンブリー５６に接続されていてアセンブリー５６の障害を検知するものである。
【００５３】
制御部５０は、表示部４６及び記憶部４８を制御する。制御部５０は、検知器６４が検知した工作機械本体４２の障害に基づいて、表示部４６及び記憶部４８を制御する。
【００５４】
部品情報５４は、部品の番号５６、部品の名称５８、部品の型式６０、及び部品の取り付け位置６２を含む。
【００５５】
制御部５０は、部品の番号５６及び部品の取り付け位置６２と、部品の番号５６、部品の名称５８、及び部品の型式６０とを、選択的に表示部４６に表示させる。アセンブリー５２に障害が生じた場合に、制御部５０が、記憶部４８からその障害に関する部品５２の部品情報を読み出して表示部４６に表示させるようになっている。
【００５６】
図９及び図１０は、それぞれ表示部に表示される表示内容４６ａ、４６ｂの一例を示す。
【００５７】
図９は、ＡＴＣ関係付近の部品の番号及び部品の取り付け位置を示す。部品の番号５６として、丸で囲んだ数値１６４、１０７等が示されており、部品の取り付け位置５２として、ＡＴＣ関係付近の概略分解斜視図が示されている。
【００５８】
図９において、リスト表示の項目４７ａを操作盤５１に設けられたソフトキー（図示省略）により選択すると、図１０に示される表示内容４６ｂが表示される。
【００５９】
図１０は、ＡＴＣ関係のパーツリスト（部品の一覧）の内容を示す。部品の番号５６がパーツ番号（図番）としてＮＯ．２〜２７まで示されている。部品の番号５６の右側には、対応する部品の名称５８及び部品の型式６０が並んで示されている。
【００６０】
以下、一例としてＡＴＣ関係の部品の部品情報を表示部に表示させる手順を説明する。
【００６１】
アセンブリー５６のいずれかに障害が発生した時に、検知器６４がそのアセンブリー５６の障害を検知する。制御部５０は、検知器６４が検知した工作機械本体４２の障害に基づいて表示部４６及び記憶部４８制御する。このとき、制御部５０は、記憶部４８からその障害に関する部品の番号５６及び部品の取り付け位置６２を図９のように表示させる。担当者は、図９に示された表示内容４６ａを参照して、部品の番号５６及び部品の取り付け位置６２を確認する。次に図１０に示された表示内容４６ｂを参照して、部品の番号５６に対応する部品の名称５８及び部品の型式６０を確認する。こうして、部品の番号５６をもとにして、交換すべき部品の取り付け位置６２、部品の名称５８、及び部品の型式６０を容易に確認できるようになっている。
【００６２】
なお、本考案は図示された実施例に限定されない。
【図面の簡単な説明】
【００６３】
【図１】本考案による工作機械の一例を示す概念図である。
【図２】パーツリスト（部品の一覧）の選択画面を示す。
【図３】パーツリスト（部品の一覧）の一覧を示す。
【図４】本体関係付近の部品の番号及び部品の取り付け位置を示す。
【図５】本体関係付近下側の側面図を示す。
【図６】本体関係のパーツリスト（部品の一覧）の内容を示す。
【図７】本体関係のパーツリスト（部品の一覧）の内容を示す。
【図８】本考案による工作機械の別の例を示す概念図である。
【図９】ＡＴＣ関係付近の部品の番号及び部品の取り付け位置を示す。
【図１０】ＡＴＣ関係のパーツリスト（部品の一覧）の内容を示す。
【符号の説明】
【００６４】
１０、４０  工作機械
１２、４２  工作機械本体
１４、４４  ＮＣ装置
１６、４６  表示部
１６ａ、１６ｂ、１６ｃ、１６ｄ、１６ｅ、１６ｆ、４６ａ、４６ｂ  表示内容
１７ａ、１７ｂ、１７ｃ、１７ｄ、４７ａ  項目
１８、４８  記憶部
２０、５０  制御部
２１、５１  操作盤
２２、５２  複数の部品
２４、５４  部品情報
２６、５６  部品の番号
２８、５８  部品の名称
３０、６０  部品の型式
３２、６２  部品の取り付け位置
３４  検知器
【図１】
0003119701.tif 000003
【図２】
0003119701.tif 000004
【図３】
0003119701.tif 000005
【図４】
0003119701.tif 000006
【図５】
0003119701.tif 000007
【図６】
0003119701.tif 000008
【図７】
0003119701.tif 000009
【図８】
0003119701.tif 000010
【図９】
0003119701.tif 000011
【図１０】
0003119701.tif 000012
【手続補正書】
【提出日】平成17年12月14日(2005.12.14)
【手続補正１】
【補正対象書類名】明細書
【補正対象項目名】００１１
【補正方法】変更
【補正の内容】
【００１１】
本考案において、工作機械本体を構成する複数の部品（パーツ）は、例えば、減速機ブラケット、サイクロ減速機（登録商標）、サーボモータ、六角穴付ボルト、カラー、スプロケット、六角ナット、ローラチェーン、位置決めブロック、平行キー、六角穴付止メネジ、座金、メネジ付テーパーピン等とすることができる。
【手続補正２】
【補正対象書類名】明細書
【補正対象項目名】００１８
【補正方法】変更
【補正の内容】
【００１８】
本考案において、検知器は、好ましくは工作機械本体を構成する種々のアセンブリーに接続される。この場合、複数の部品がアセンブリーを構成する。アセンブリーは、例えば本体、主軸、Ｘ軸送り、Ｙ軸送り、Ｚ軸送り、Ｘ軸リミットスイッチ、Ｙ軸リミットスイッチ、Ｚ軸リミットスイッチ、Ｚ軸ケーブルベア（登録商標）、Ｘ軸スライドカバー、Ｘ軸モーターカバー、全体カバー、チップコンベア、切削油タンク、ＡＴＣ、操作盤、制御盤等とすることができる。